(57)【特許請求の範囲】
【請求項１】
上端部に襟周り開口および一対の肩部と、下端部に裾周り開口とを有し、前記肩部それぞれに前記上端部から前記下端部へ延びる一対の袖部が取り付けられている使い捨て上着であって、
前記上着は、前記上下端部間に延びる内外側縁および前記上端部近傍に袖付きを有し互いに線対称にある一対の左右袖シートと、前記上下端部間に延びる内外側縁および前記上端部近傍に袖ぐりを有し前記左右袖シートの内側に位置して互いに線対称にある一対の左右身頃シートとで構成され、
前記左袖シート、前記右袖シートそれぞれが、それらシートの前記内外側縁間の寸法を二等分して前記上下端部間に延びる中心線で折曲されて、前記左袖シート、前記右袖シートそれぞれが、前記内外側縁をわずかに残してそれら側縁に沿って固着され、前記左身頃シートと右身頃シートとが、それらシートの前記内側縁をわずかに残してその内側縁に沿って固着されており、
前記左袖シートの袖付き周縁部と前記左身頃シートの袖ぐり周縁部とが互いに固着されるとともに、前記右袖シートの袖付き周縁部と前記右身頃シートの袖ぐり周縁部とが互いに固着され、前記左右袖シートの前記上端縁部が互いに固着されていることを特徴とする前記上着。
【請求項２】
前記左右身頃シートの上端部と前記左右袖シートの上端部との互いに重なり合う部分が、前記襟周り開口を除いて互いに固着されている請求項１記載の上着。
【請求項３】
前記左右身頃シートと前記左右袖シートとのうちの少なくとも一方が、不織布である請求項１記載の上着。
【請求項４】
使い捨て上着を製造する方法であって、
（ａ）上下面と、長手方向へ延びる内外側縁と、前記内外側縁間の幅方向の寸法を二等分して前記長手方向へ延びる中心線とを有する一対の左右身頃シートを、前記長手方向前方へ連続して供給し、前記シートそれぞれの前記外側縁から前記中心線へ向かって凸となる襟ぐり切断線でそれらシートの部分を切り取る工程、
（ｂ）上下面と、長手方向へ延びる内外側縁と、前記内外側縁間の幅方向の寸法を二等分して前記長手方向へ延びる中心線とを有し前記左右身頃シートよりも幅狭い一対の左右袖シートを、前記長手方向前方へ連続して供給し、前記左右身頃シートの前記中心線と前記左右袖シートの前記中心線とを互いに一致させて、前記左身頃シートの上面と左袖シートの下面とを重ね合わせるとともに、前記右身頃シートの上面と前記右袖シートの下面とを重ね合わせる工程、
（ｃ）互いに重なり合う前記左身頃シートと前記左袖シート、互いに重なり合う前記右身頃シートと前記右袖シートを、前記襟ぐり切断線よりもそれらシートの供給方向前方へわずかに偏倚した位置で、前記左右袖シートの前記内外側縁の間において前記中心線から前記内側縁の方向と前記外側縁の方向とのそれぞれへ凸となる袖ぐり接合線で互いに接合する工程、
（ｄ）互いに接合された前記左身頃シートと前記左袖シート、互いに接合された前記右身頃シートと前記右袖シートを、前記袖ぐり接合線の内側でその袖ぐり接合線に沿って延びる袖ぐり切断線で切り取る工程、
（ｅ）前記左身頃シートと前記左袖シート、前記右身頃シートと前記右袖シートを、前記中心線で折曲し、前記左身頃シートと前記左袖シートとの上面どうしを互いに重ね合わせるとともに、前記右身頃シートと前記右袖シートとの上面どうしを互いに重ね合わせる工程、
（ｆ）前記左身頃シートと左袖シート、前記右身頃シートと右袖シートを、それらシートの前記中心線が互いに対向するように前記長手方向前方へ並行して供給し、前記左身頃シートと前記右身頃シートとの前記中心線から前記内側縁の間に延びる背面部分それぞれを、前記袖ぐり接合線において折り返し、折り返された前記背面部分を、前記左右身頃シートの内側縁に沿って前記長手方向へ延びる背部接合線で互いに接合する工程、
（ｇ）前記左身頃シートと前記右身頃シートとの前記中心線から前記外側縁の間に延びる正面部分それぞれを、前記袖ぐり接合線において折り返し、互いに重なり合う前記左袖シートを、前記左袖シートの内外側縁に沿って前記長手方向へ延びる袖部接合線で接合するとともに、互いに重なり合う前記右袖シートを、前記右袖シートの内外側縁に沿って前記長手方向へ延びる袖部接合線で接合する工程、
（ｈ）前記左右身頃シートと左右袖シートとを、前記左右身頃シートの前記中心線の側に位置する前記襟ぐり切断線と前記袖部接合線との間に延びていて前記袖ぐり接合線の後方を横切る肩部接合線、または、前記左右身頃シートの前記中心線の側に位置する前記襟ぐり切断線と前記袖部接合線との間に延びていて前記袖ぐり接合線上を横切る肩部接合線で互いに接合する工程、
（ｉ）前記左右身頃シートと左右袖シートとを、前記襟ぐり切断線により切り取られた前記左右身頃シートの部分を幅方向に横切り、前記肩部接合線に沿うようにこの肩部接合線の後方を幅方向へ横切って、前記背部接合線と前記袖部接合線との間に延びる肩部切断線で切断するとともに、前記袖ぐり接合線から前記長手方向前方へ所要寸法離間した位置で、前記幅方向へ延びる裾部切断線で切断する工程、
とを有することを特徴とする前記方法。
【発明の詳細な説明】
【０００１】
【発明の属する技術分野】
本発明は、使い捨て上着およびその製造方法に関する。
【０００２】
【従来の技術】
上着は、左右身頃、左右袖身頃のような部分ごとに生地を裁断し、これら生地を縫い合わせて製造される。上着の製造の一例としては、スタイル画から平面製図方式や立体裁断方式によって標準サイズのマスターパターンを作成し、マスターパターンを大小のサイズに拡大、縮小するパターングレーティングを行う。パターングレーティングによってできた各サイズ、各部位のパターンは、できる限りロスを少なくするように紙の上に置きマーキングを行う。生地は、約１０ｍの長さで２０〜６０枚を重ね合わせ、その上にマーキングをした型紙を重ね、マーキングの線に沿って生地をカッティングする。
【０００３】
これらパターングレーティング、マーキング、カッティングをコンピュータによってシステム化することで、上着製造の生産性を向上させている。パターンの型どおりにカットされた生地ピースそれぞれは、あらかじめ形をインプットしたコンピュータを内蔵するミシンによって縫い合わされる。縫製が完了したものは、プレスがけ、熱セット等の仕上げ工程を経て、検査の上完成品となる。上着には、保温性や吸湿性、着用中の感触に優れることが要求される。
【０００４】
【発明が解決しようとする課題】
しかし、カッティング工程を経た生地を縫製工程へ搬送したり、それぞれの縫製工程の間の中間製品を次の縫製工程へ搬送する必要から、生産性の向上には限界がある。近年、手術や検査を行う際に医師や看護婦、患者等が着用し、使用後に廃棄される使い捨て着衣の需要が増えてきている。着衣には、手術中の使用に耐えることができ、安価でこれまで以上に量産が可能であることが要求される。
【０００５】
本発明の課題は、使用後はそのまま廃棄することができる上着と、その上着を単位時間内に量産することができる製造方法の提供である。
【０００６】
【課題を解決するための手段】
前記課題を解決するために、本発明が前提とするところは、上端部に襟周り開口および一対の肩部と、下端部に裾周り開口とを有し、前記肩部それぞれに前記上端部から前記下端部へ延びる一対の袖部が取り付けられている使い捨て上着である。
【０００７】
かかる前提において、前記上着は、前記上下端部間に延びる内外側縁および前記上端部近傍に袖付きを有し互いに線対称にある一対の左右袖シートと、前記上下端部間に延びる内外側縁および前記上端部近傍に袖ぐりを有し前記左右袖シートの内側に位置して互いに線対称にある一対の左右身頃シートとで構成され、前記左袖シート、前記右袖シートそれぞれが、それらシートの前記内外側縁間の寸法を二等分して前記上下端部間に延びる中心線で折曲されて、前記左袖シート、前記右袖シートそれぞれが、前記内外側縁をわずかに残してそれら側縁に沿って固着され、前記左身頃シートと右身頃シートとが、それらシートの前記内側縁をわずかに残してその内側縁に沿って固着されており、前記左袖シートの袖付き周縁部と前記左身頃シートの袖ぐり周縁部とが互いに固着されるとともに、前記右袖シートの袖付き周縁部と前記右身頃シートの袖ぐり周縁部とが互いに固着され、前記左右袖シートの前記上端縁部が互いに固着されていることを特徴とする。
【０００８】
本発明の実施の態様の一例としては、前記左右身頃シートの上端部と前記左右袖シートの上端部との互いに重なり合う部分が、前記襟周り開口を除いて互いに固着されている。
【０００９】
本発明の実施の態様の他の一例としては、前記左右身頃シートと前記左右袖シートとのうちの少なくとも一方が、不織布である。
【００１０】
前記目的を達成するための使い捨て上着を製造する方法としては、
（ａ）上下面と、長手方向へ延びる内外側縁と、前記内外側縁間の幅方向の寸法を二等分して前記長手方向へ延びる中心線とを有する一対の左右身頃シートを、前記長手方向前方へ連続して供給し、前記シートそれぞれの前記外側縁から前記中心線へ向かって凸となる襟ぐり切断線でそれらシートの部分を切り取る工程、
（ｂ）上下面と、長手方向へ延びる内外側縁と、前記内外側縁間の幅方向の寸法を二等分して前記長手方向へ延びる中心線とを有し前記左右身頃シートよりも幅狭い一対の左右袖シートを、前記長手方向前方へ連続して供給し、前記左右身頃シートの前記中心線と前記左右袖シートの前記中心線とを互いに一致させて、前記左身頃シートの上面と左袖シートの下面とを重ね合わせるとともに、前記右身頃シートの上面と前記右袖シートの下面とを重ね合わせる工程、
（ｃ）互いに重なり合う前記左身頃シートと前記左袖シート、互いに重なり合う前記右身頃シートと前記右袖シートを、前記襟ぐり切断線よりもそれらシートの供給方向前方へわずかに偏倚した位置で、前記左右袖シートの前記内外側縁の間において前記中心線から前記内側縁の方向と前記外側縁の方向とのそれぞれへ凸となる袖ぐり接合線で互いに接合する工程、
（ｄ）互いに接合された前記左身頃シートと前記左袖シート、互いに接合された前記右身頃シートと前記右袖シートを、前記袖ぐり接合線の内側でその袖ぐり接合線に沿って延びる袖ぐり切断線で切り取る工程、
（ｅ）前記左身頃シートと前記左袖シート、前記右身頃シートと前記右袖シートを、前記中心線で折曲し、前記左身頃シートと前記左袖シートとの上面どうしを互いに重ね合わせるとともに、前記右身頃シートと前記右袖シートとの上面どうしを互いに重ね合わせる工程、
（ｆ）前記左身頃シートと前記左袖シート、前記右身頃シートと前記右袖シートを、それらシートの前記中心線が互いに対向するように前記長手方向前方へ並行して供給し、前記左身頃シートと前記右身頃シートとの前記中心線から前記内側縁の間に延びる背面部分それぞれを、前記袖ぐり接合線において折り返し、折り返された前記背面部分を前記内側縁に沿って前記長手方向へ延びる背部接合線で互いに接合する工程、
（ｇ）前記左身頃シートと前記右身頃シートとの前記中心線から前記外側縁の間に延びる正面部分それぞれを、前記袖ぐり接合線において折り返し、互いに重なり合う前記左袖シートを、前記左袖シートの内外側縁に沿って前記長手方向へ延びる袖部接合線で接合するとともに、互いに重なり合う前記右袖シートを、前記右袖シートの内外側縁に沿って前記長手方向へ延びる袖部接合線で接合する工程、
（ｈ）前記左右身頃シートと左右袖シートとを、前記左右身頃シートの前記中心線の側に位置する前記襟ぐり切断線と前記袖部接合線との間に延びていて前記袖ぐり接合線の後方を横切る肩部接合線、または、前記左右身頃シートの前記中心線の側に位置する前記襟ぐり切断線と前記袖部接合線との間に延びていて前記袖ぐり接合線上を横切る肩部接合線で互いに接合する工程、
（ｉ）前記左右身頃シートと左右袖シートとを、前記襟ぐり切断線により切り取られた前記左右身頃シートの部分を幅方向に横切り、前記肩部接合線に沿うようにこの肩部接合線の後方を幅方向へ横切って、前記背部接合線と前記袖部接合線との間に延びる肩部切断線で切断するとともに、前記袖ぐり接合線から前記長手方向前方へ所要寸法離間した位置で、前記幅方向へ延びる裾部切断線で切断する工程、
とを有する。
【００１１】
【発明の実施の形態】
添付の図面を参照して、この発明に係る使い捨て上着とその製造方法の詳細を説明すると、以下のとおりである。
【００１２】
図１は、使い捨て上着１の斜視図である。上着１は、互いに固着された左右身頃２，３と、左右身頃２，３の上端両側縁部に取り付けられて上下に延びる左右袖部４，５とを有する。左右身頃２，３は、着用者の腹部側に位置する正面部２Ａ，３Ａと背中側に位置する背面部２Ｂ，３Ｂとを有し、上端部に襟周り開口６と下端部に裾周り開口７とが形成されている。襟周り開口６を除く左右身頃２，３の上端部と左右袖部４，５の上端部とが一対の肩部８を形成している。
【００１３】
図２は、シート２，３，４，５それぞれを線対称に配置した図１の上着１の分解平面図である。上着１は、上下に延びる仮想対称線Ｔに対して互いに線対称にある一対の左右身頃シート２，３と、左右身頃シート２，３の幅方向外側に位置し仮想対称線Ｔに対して互いに線対称にある左右袖シート４，５とで構成されている。
【００１４】
左右身頃シート２，３は、互いに並行して長手方向へ延びる内外側縁２ｃ，２ｄ，３ｃ，３ｄと、長手方向と交差して幅方向へ延びる上下端縁２ａ，２ｂ，３ａ，３ｄと、内外側縁２ｃ，２ｄ，３ｃ，３ｄ間の幅方向の寸法を二等分して長手方向へ延びる中心線Ｙ１とを有する。
【００１５】
左右身頃シート２，３の上端部には、それらシート２，３の外側縁２ｃ，３ｃから中心線Ｙ１の方向へ延び、上端部から下端部へ向かって弧を画く襟ぐり開口６が形成され、中心線Ｙ１を挟んで幅方向へ肩部接合線Ｂ２が延びている。左右身頃シート２，３の内側縁２ｄ，３ｄには、内側縁２ｄ，３ｄに沿って長手方向へ背部接合線Ｂ１が延びている。左右身頃シート２，３の中心線Ｙ１上には、上端部の側に偏倚した位置それぞれに、中心線Ｙ１を挟み内外側縁２ｃ，２ｄ，３ｃ，３ｄへ向かって凸となる矩形の袖ぐり２ｅ，３ｅが形成されている。左身頃シート２と右身頃シート３とは、それらシート２，３の内面どうしが背部接合線Ｂ１で互いに固着される。
【００１６】
左右袖シート４，５は、互いに並行して長手方向へ延びる内外側縁４ｃ，４ｄ，５ｃ，５ｄと、長手方向と交差して幅方向へ延びる上下端縁４ａ，４ｂ，５ａ，５ｂと、内外側縁４ｃ，４ｄ，５ｃ，５ｄ間の幅方向の寸法を二等分して長手方向へ延びる中心線Ｙ２とを有する。
【００１７】
左右袖シート４，５の内外側縁４ｃ，４ｄ，５ｃ，５ｄには、それら内外側縁４ｃ，４ｄ，５ｃ，５ｄに沿って長手方向へ袖部接合線Ｂ３が延びている。左右袖シート４，５の上端縁４ａ，５ａには、上端縁４ａ，５ａに沿って幅方向へ肩部接合線Ｂ２が延びている。左右袖シート４，５の中心線Ｙ２上には、上端部の側に偏倚した位置それぞれに、中心線Ｙ２を挟み内外側縁４ｃ，４ｄ，５ｃ，５ｄへ向かって凸となる矩形の袖付き４ｅ，５ｅが形成されている。左右袖シート４，５それぞれの内面どうしが、中心線Ｙ２で折曲されて重なり合い、袖部接合線Ｂ３で固着されて左右袖部４，５が形成される。
【００１８】
左身頃シート３と左袖シート５とは、それらシート３，５の中心線Ｙ１，Ｙ２を互いに一致させ、袖ぐり３ｅと袖付き５ｅとの周縁部に沿って延びる袖ぐり接合線Ｂ４で固着され、右身頃シート２と右袖シート４とは、それらシート２，４の中心線Ｙ１，Ｙ２を互いに一致させ、袖ぐり２ｅと袖付き４ｅとの周縁部に沿って延びる袖ぐり接合線Ｂ４で固着される。左右身頃シート２，３の上端縁部と左右袖シート４，５の上端縁部との互いに重なり合う部分が、肩部接合線Ｂ２で固着される。肩部接合線Ｂ２は、袖ぐり接合線Ｂ４上を横切っていてもよい。
【００１９】
袖ぐり２ｅ，３ｅと袖付き４ｅ，５ｅとの形状は、矩形に限定するものではなく、円形や長円形等であってもよい。
【００２０】
図３は、図１のＡ−Ａ線断面図である。左右身頃シート２，３は、背部接合線Ｂ１において、それらシート２，３の内面どうしが固着されているので、それらシート２，３の内側縁２ｄ，３ｄが、上着１の外面へ向かって延出する。左右袖シート４，５は、内外側縁４ｃ，４ｄ，５ｃ，５ｄにおいてそれらシート４，５の内面どうしが固着されているので、それらシート４，５の内外側縁４ｃ，４ｄ，５ｃ，５ｄが、上着１の外面へ向かって延出する。ゆえに、上着１を着用したときに、左右身頃２，３シートの内側縁２ｄ，３ｄと左右袖シート４，５の内外側縁４ｃ，４ｄ，５ｃ，５ｄとが、着用者の肌に接触することはなく、着用感を損なうことがない。また、左右身頃シート２，３と左右袖シート４，５とは、それらシート２，３，４，５の上端部においてもそれらシート２，３，４，５の内面どうしが固着されている（図示せず）。
【００２１】
図４は、図１と異なる態様の使い捨て上着１の斜視図である。上着１には、左右身頃２，３の幅方向と左右袖部４，５の周り方向とに弾性部材９，１０が伸長状態で取り付けられている。弾性部材９，１０は、その収縮力で着用者の胴周りと腕周りとを締めつけるので、着用中の上着１のずれを防ぐことができる。
【００２２】
弾性部材９，１０は、左右身頃２，３と左右袖部４，５との外面に取り付けられているが、左右身頃２，３と左右袖部４，５との内面に取りつけられていてもよい。また、それら弾性部材９，１０の表面が不織布で被覆されていてもよいし、あらかじめ不織布に包まれた弾性部材９，１０を左右身頃２，３と左右袖部４，５とに取り付けてもよい。
【００２３】
左右身頃シート２，３と左右袖シート４，５とのうちの一方または双方には、熱可塑性繊維で形成したスパンボンド不織布やメルトブローン不織布等を使用することが好ましい。特に、保水性と剛性とを高めるため、レーヨン、ナイロン、パルプ等の単独またはそれらの混合物を使用した目付け５０〜１００ｇ／ｃｍのスパンボンド、ポイントボンド、メルトブローン不織布等を使用することが好ましい。不織布には、開口を形成して透湿性を向上させたもの、不織布にエンボスをかけて凹凸を形成し、クッション性を向上させたものや伸縮性を付与したものを使用することもできる。
【００２４】
袖ぐり２ｅ，３ｅの周囲や背面部２Ｂ，３Ｂは、特に汗をかきやすいので、袖ぐり２ｅ，３ｅ周囲の内面と背面部２Ｂ，３Ｂの内面とに吸液性、透湿性、柔軟性に優れた不織布を別途取り付けることが好ましい。このような不織布としては、レーヨンやコットン等の繊維を含む不織布を使用することが好ましい。
【００２５】
図５は、使い捨て上着１の製造方法の一例を示す工程図である。図５において、（１），（３）は工程の側面図であり、（２），（４）は工程の平面図であり、第１工程（ａ）〜第５工程（ｅ）までは、説明を簡略化するために右身頃シート２と右袖シート３との記載を省略している。上着１は、第１工程〜第９工程（ａ）〜（ｉ）を有するラインにおいて、所定幅を有する一対の左右身頃シート２，３と一対の左右袖シート４，５とを用いて製造される。
【００２６】
左右身頃シート２，３は、上下面と、長手方向へ延びる内外側縁２ｃ，２ｄ，３ｃ，３ｄと、内外側縁２ｃ，２ｄ，３ｃ，３ｄ間の幅方向の寸法を二等分して長手方向へ延びる中心線Ｙ１とを有する。左右身頃シート２，３それぞれは、幅方向の寸法が同一であり、同一の速度で供給されている。
【００２７】
左右袖シート４，５は、上下面と、長手方向へ延びる内外側縁４ｃ，４ｄ，５ｃ，５ｄと、前記内外側縁４ｃ，４ｄ，５ｃ，５ｄ間の幅方向の寸法を二等分して前記長手方向へ延びる中心線Ｙ２とを有し前記左右身頃シート２，３よりも幅狭いものである。左右袖シート４，５それぞれは、幅方向の寸法が同一であり、左右身頃シート２，３と同一の速度で供給されている。
【００２８】
第１工程（ａ）は、所定幅を有する左右身頃シート２，３を長手方向前方へ連続して供給し、襟ぐり切断線Ｋ１でそれらシート２，３の部分６ａを切り取る裁断工程である。
【００２９】
第２工程（ｂ）は、所定幅を有する左右袖シート４，５を長手方向前方へ連続して供給し、左袖シート５を左身頃シート３に、右袖シート４を右身頃シート２にそれぞれ重ね合わせる工程である。
【００３０】
第３工程（ｃ）は、左身頃シート３と左袖シート５、右身頃シート２と右袖シート４を、袖ぐり接合線Ｂ４でシールする接合工程である。
【００３１】
第４工程（ｄ）は、左身頃シート３と左袖シート５、右身頃シート２と右袖シート４を、袖ぐり切断線Ｋ２で切り取る裁断工程である。
【００３２】
第５工程（ｅ）は、左身頃シート３と左袖シート５、右身頃シート２と右袖シート４を、それらシート２，３，４，５の中心線Ｙ１，Ｙ２で折曲して重ね合わせる工程である。
【００３３】
第６工程（ｆ）は、左身頃シート３と右身頃シート２との背面部２Ｂ，３Ｂを折り返し、左右身頃シート２，３を背部接合線Ｂ１でシールする接合工程である。
【００３４】
第７工程（ｇ）は、左身頃シート３と右身頃シート２との正面部２Ａ，３Ａを折り返し、左袖シート５を袖部接合線Ｂ３でシールし、右袖シート４を袖部接合線Ｂ３でシールする接合工程である。
【００３５】
第８工程（ｈ）は、左身頃シート３と左袖シート５、右身頃シート２と右袖シート４を、肩部接合線Ｂ２でシールする接合工程である。
【００３６】
第９工程（ｉ）は、左身頃シート３と左袖シート５、右身頃シート２と右袖シート４を、肩部切断線Ｋ３と裾部切断線Ｋ４とで切り取る裁断工程である。
【００３７】
各工程（ａ）〜（ｉ）への左右身頃シート２，３と左右袖シート４，５との移動は、駆動装置により回動するロールによって行われる。
【００３８】
第１工程（ａ）では、巻回ロール１００に巻き取られている左身頃シート３が、長手方向前方へ連続して供給される。左身頃シート３は、巻回ロール１００の下流側に配置された裁断装置１０２により、左身頃シート３の外側縁３ｃから中心線Ｙ１へ向かって凸となるような軌跡を画く襟ぐり切断線Ｋ１で、左身頃シート３の部分６ａが切り取られる。
【００３９】
第２工程（ｂ）では、巻回ロール１０３に巻き取られている左袖シート５が、長手方向前方へ連続して供給され、左身頃シート３の中心線Ｙ１と左袖シート５の中心線Ｙ２とが互いに一致するように、左身頃シート３の上面と左袖シート５の下面とが重ね合わせられる。
【００４０】
第３工程（ｃ）では、互いに重なり合う左身頃シート３と左袖シート５とが、シール装置１０５により、襟ぐり切断線Ｋ１よりもそれらシート３，５の供給方向前方へわずかに偏倚した位置で、左袖シート５の内外側縁５ｃ，５ｄの間において中心線Ｙ２から外側縁５ｃの方向と内側縁５ｄの方向とのそれぞれへ凸となるような軌跡を画く袖ぐり接合線Ｂ４により互いに接合される。
【００４１】
第４工程（ｄ）では、袖ぐり接合線Ｂ４により接合された左身頃シート３と左袖シート５が、裁断装置１０６により、袖ぐり切断線Ｋ２で切り取られ、袖ぐりが形成される。袖ぐり切断線Ｋ２は、袖ぐり接合線Ｂ４の内側でその袖ぐり接合線Ｂ４に沿って延びている。
【００４２】
第５工程（ｅ）では、左身頃シート３と左袖シート５とが、折曲装置１０７によりそれらシート３，５の中心線Ｙ１，Ｙ２で折曲され、シート３，５の上面どうしが互いに重ね合わせられる。
【００４３】
左身頃シート３および左袖シート５と同様に、第１工程〜第５工程を経た図示しない右身頃シート２および右袖シート４は、シート２，３，４，５の中心線Ｙ１，Ｙ２どうしが互いに対向するように、左身頃シート３および左袖シート５と並行してライン上を移動している。
【００４４】
第６工程（ｆ）では、左身頃シート３と右身頃シート２との中心線Ｙ１から内側縁２ｄ，３ｄの間に延びる背面部２Ｂ，３Ｂが、反転装置１０８により袖ぐり接合線Ｂ４で折り返され、折り返された左身頃シート３と右身頃シート２との背面部２Ｂ，３Ｂが、シール装置１０９により背部接合線Ｂ１で互いに接合される。背部接合線Ｂ１は、左身頃シート３と右身頃シート２との内側縁２ｄ，３ｄの内側でその内側縁２ｄ，３ｄに沿って延びている。
【００４５】
第７工程（ｇ）では、左身頃シート３と右身頃シート２との中心線Ｙ１から外側縁２ｃ，３ｃの間に延びる正面部２Ａ，３Ａが、反転装置１１０により袖ぐり接合線Ｂ４で折り返される。互いに重なり合う左袖シート５がシール装置１１１により袖部接合線Ｂ３で接合され、互いに重なり合う右袖シート４がシール装置１１１により袖部接合線Ｂ３で接合される。袖部接合線Ｂ３は、左右袖シート４，５の内外側縁４ｃ，４ｄ，５ｃ，５ｄの内側でそれら内外側縁４ｃ，４ｄ，５ｃ，５ｄに沿って長手方向へ延びている。
【００４６】
第８工程（ｈ）では、左右身頃シート２，３と左右袖シート４，５とが、シール装置１１１により肩部接合線Ｂ２で接合される。肩部接合線Ｂ２は、袖ぐり接合線Ｂ４の後方を横切り、左右身頃シート２，３の中心線Ｙ１の側に位置する襟ぐり切断線Ｋ１と袖部接合線Ｂ３との間に延びている。また、肩部接合線Ｂ２は、袖ぐり接合線Ｂ４上を横切り、左右身頃シート２，３の中心線Ｙ１の側に位置する襟ぐり切断線Ｋ１と袖部接合線Ｂ３との間に延びていてもよい。
【００４７】
第９工程（ｉ）では、左右身頃シート２，３と左右袖シート４，５とが、切断装置１１３により肩部切断線Ｋ３と裾部切断線Ｋ４ろで裁断される。肩部切断線Ｋ３は、襟ぐり切断線Ｋ１により切り取られた左右身頃シート２，３の部分を幅方向に横切り、肩部接合線Ｂ２に沿うようにこの肩部接合線Ｂ２の後方を幅方向へ横切って、背部接合線Ｂ１と袖部接合線Ｂ３との間に延びている。裾部切断線Ｋ４は、袖ぐり接合線Ｂ４から長手方向前方へ所要寸法離間した位置に幅方向に延びている。
【００４８】
シートの接合には、ホットメルト接着剤等の接着剤や粘着材、ヒートシールやソニックシール等の技術を使用することができる。シートの接合は、連続的に行われてもよいし、間欠的に行われてもよい。シートの裁断には、カッティングダイを使用する他に、レーザ光線や超音波を利用する裁断技術を使用することができる。
【００４９】
このシステムでは、第１工程（ａ）〜第９工程（ｉ）までを連続、自動化することで、上着１の生産性の向上を図っている。工程（ａ）〜（ｉ）には、自動化を円滑に行うため、図示はしていないが、シートを互いに重ね合わせる際に、左右身頃シート２，３と左右袖シート４，５との中心線Ｙ１，Ｙ２それぞれが一致しない場合、左右身頃シート２，３と左右袖シート４，５との供給速度とが、あらかじめ設定した速度と異なる場合、中心線Ｙ１，Ｙ２のずれを修正したり、供給速度を設定速度に修正する制御手段を設けている。
【００５０】
中心線Ｙ１，Ｙ２のずれを修正する制御手段は、第１工程（ａ）における巻回ロール１００と裁断装置１０２との間と、第２工程（ｂ）における巻回ロール１０３とシール装置１０５との間とに設けることが好ましい。
【００５１】
これら制御手段を具体化するには、一例として、投光部と受光部とで形成された光学的測定装置と、ロールの回転速度を計測する回転速度測定装置と、これら測定装置に接続された制御装置と、制御装置に接続された可動装置１０１，１０４および駆動装置とを使用する。
【００５２】
制御装置のメモリには、システムの最適な運転環境を実現するプログラムが格納されている。プログラムには、シートの側縁部のずれ寸法とずれ寸法を修正するためのずれ寸法に対する制御量との相関関係、ロールを回動させる駆動装置の回転速度とシートの供給速度との相関関係が格納されている。また、ずれ許容値と設定速度とがあらかじめ格納されている。システムの運転時には、ＯＳの制御の下にプログラムを起動し、所定のタスクを実行する。制御装置へは、光学的測定装置と回転速度測定装置とからリアルタイムに測定結果が入力されている。
【００５３】
第１工程（ａ）では、光学的測定装置の投光部と受光部とを、左身頃シート３の一方の側縁部と右身頃シート２の一方の側縁部とを上下から挟むように対向配置する。第２工程（ｂ）では、光学的測定装置の投光部と受光部とを、左袖シート５の一方の側縁部と右袖シート４の一方の側縁部とを上下から挟むように対向配置する。回転速度測定装置は、第１工程（ａ）と第２工程（ｂ）とのロールの各駆動装置と、シール装置と裁断装置との内部に装着されたロールの各駆動装置とに取り付けられている。
【００５４】
光学的測定装置の投光部からは、制御装置で生成されたパルス信号に基づき、受光部へ向けて光を照射する。投光部から照射される光の照射範囲は、所定の面積を有し、シートに遮蔽されずにシートの側縁部の外側を通過する光はそのまま受光部に入射する。
【００５５】
制御装置では、たとえば、投光部から照射される光を電気に変換したときの電気量を１００％としたときに、シートの側縁部で遮蔽される光の電気量が４０〜５０％、受光部に入射する光の電気量が５０〜６０％の範囲を正常値として認識する。シートの側縁部にずれが生じると、制御装置へ入力される電気量が変化する。その電気量が５０〜６０％を越えると、制御装置はシートにずれありと判定する。制御装置がずれありと判定すると、ずれを修正するための制御信号を可動装置へ出力する。
【００５６】
可動装置１０１，１０４には、シート２，３，４，５の少なくとも一方の面を上下いずれかにおいて押圧しながら回動し、シート２，３，４，５をその周面で移動させる可動ロールと、可動ロールを幅方向へ往復移動させるモータとを有する。モータは、可動ロールを幅方向へ往復移動させると同時に、可動ロールの中央部を支点として一端部を上下いずれかへ揺動させることもできる。可動装置１０１，１０４は、制御装置からの制御量に基づいて、可動ロールを所定寸法だけ移動させる。可動ロールが移動すると、その周面を移動するシート２，３，４，５が可動ロールの移動方向へ向かってずれる。シート２，３，４，５をずらすことによってシート２，３，４，５の位置を修正することができる。制御装置は、ずれの修正が不可能であると判断するとシステムを停止させることもできる。
【００５７】
光学的測定装置としてＣＣＤ（電荷撮像素子）カメラを使用する場合は、ＣＣＤカメラのアナログ電気信号を制御装置へ送り、制御装置では、Ａ／Ｄコンバータ部によってデジタル信号に変換し、このデジタル信号を制御装置の前処理部で２値化する。制御装置の論理演算部では、２値化した信号によりシート２，３，４，５の幾何学的特徴を抽出し、あらかじめ格納してあるシートの輪郭パターンと重ね合わせて比較判定を行い、シート２，３，４，５のずれの有無を判定する。
【００５８】
制御装置は、左右身頃シート２，３の供給速度と左右袖シート４，５の供給速度とを比較演算し、その結果、あらかじめ設定した供給速度の範囲外にある場合、それらシート２，３，４，５の供給速度を設定範囲内にするように、ロールの回転速度を修正させる制御指令を駆動装置へ出力する。
【００５９】
制御装置は、各ロールの回転速度が同期するように、各ロールの駆動装置の回転速度を制御している。駆動装置の回転速度は、回転数制御方式や電力制御方式のいずれかまたはこれらを併用することができる。
【００６０】
【発明の効果】
本発明に係る使い捨て上着とその製造方法によれば、上着を着用したときに、左右身頃シートの内側縁および上端縁と左右袖シートの内外側縁とが、着用者の肌に接触しないので着用感がよい。
【００６１】
上着を自動化、かつ、連続化した工程で生産することができるので、単位時間当たりの生産性が向上するとともに、安価に製造することができる。
【図面の簡単な説明】
【図１】使い捨て上着の斜視図。
【図２】図１の上着の分解平面図。
【図３】図１のＡ−Ａ線断面図。
【図４】図１とは異なる態様の上着の斜視図。
【図５】上着の製造工程図。
【符号の説明】
１            使い捨て上着
２            右身頃（右身頃シート）
２Ａ          正面部
２Ｂ          背面部
２ｃ          外側縁
２ｄ          内側縁
２ｅ          袖ぐり
３            左身頃（左身頃シート）
３Ａ          正面部
３Ｂ          背面部
３ｃ          外側縁
３ｄ          内側縁
３ｅ          袖ぐり
４            右袖部（右袖シート）
４ｃ          外側縁
４ｄ          内側縁
４ｅ          袖付き
５            左袖部（左袖シート）
５ｃ          外側縁
５ｄ          内側縁
５ｅ          袖付き
６            襟周り開口
７            裾周り開口
８            肩部
Ｂ１          背部接合線
Ｂ２          肩部接合線
Ｂ３          袖部接合線
Ｂ４          袖ぐり接合線
Ｋ１          襟ぐり切断線
Ｋ２          袖ぐり切断線
Ｋ３          肩部切断線
Ｋ４          裾部切断線
Ｙ１，Ｙ２    中心線
【図１】
0003631019.tif 000002
【図２】
0003631019.tif 000003
【図３】
0003631019.tif 000004
【図４】
0003631019.tif 000005
【図５】
0003631019.tif 000006